【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
主電源により充電されるバックアップ電源と、
前記主電源と、前記電子回路の電源端子間に接続された、寄生ダイオードのアノードが前記主電源に接続され、カソードが前記電子回路の電源端子に接続されたＭＯＳトランジスタと、
前記バックアップ電源に流れる電流の向きを検出する電流方向検出手段とを備え、
前記電流方向検出手段により、電流の方向が前記バックアップ電源を充電する方向の場合には、前記ＭＯＳトランジスタをオンし、
電流の方向が前記バックアップ電源を放電する方向の場合には、前記ＭＯＳトランジスタをオフするようにしたことを特徴とする電子回路のバックアップ電源回路。
【請求項２】
請求項１に記載の電子回路のバックアップ電源回路において、
前記電流方向検出手段は、前記バックアップ電源と前記電子回路の電源端子間に接続された抵抗素子と、該抵抗素子の両端を入力とするコンパレータとを備え、
該コンパレータの出力に応じて前記ＭＯＳトランジスタのオン・オフを制御し、
前記抵抗素子の両端子の内、前記電子回路の電源端子側の電位が前記バックアップ電源の電位より高い場合には、前記ＭＯＳトランジスタをオンし、
前記電子回路の電源端子側の電位が前記バックアップ電源の電位より低い場合には、前記ＭＯＳトランジスタをオフするようにしたことを特徴とする電子回路のバックアップ電源回路。
【請求項３】
主電源により充電されるバックアップ電源と、
前記主電源と、前記電子回路の電源端子間に接続された、寄生ダイオードのアノードが前記主電源に接続され、カソードが前記電子回路の電源端子に接続されたＭＯＳトランジスタと、
前記ＭＯＳトランジスタの両端を入力とするコンパレータとを備え、
該コンパレータの出力に応じて前記ＭＯＳトランジスタのオン・オフを制御し、
前記ＭＯＳトランジスタの両端の内、前記主電源の端子側の電位が前記電子回路の電源端子側の電位より高い場合には、前記ＭＯＳトランジスタをオンし、
前記主電源の端子側の電位が前記電子回路の電源端子側の電位より低い場合には、前記ＭＯＳトランジスタをオフすることを特徴とする電子回路のバックアップ電源回路。
【請求項４】
主電源により充電される第１バックアップ電源を第１電源端子に、１次電池を用いた第２バックアップ電源を第２電源端子にそれぞれ接続可能とし、いずれか一方のバックアップ電源を接続して用いる電子回路のバックアップ電源回路において、
前記主電源の電圧が所定の電圧以上であるか、または所定の電圧未満であるかを検出する電圧検出回路と、
前記第２バックアップ電源と前記電子回路の電源端子間に接続されたスイッチ手段と、
前記主電源と、前記電子回路の電源端子間に接続され、寄生ダイオードのアノードが前記主電源に接続され、カソードが前記電子回路の電源端子に接続されたＭＯＳトランジスタと、
前記第１バックアップ電源に流れる電流の向きを検出する電流方法検出手段とを備え、
前記スイッチ手段は、前記電圧検出回路の出力により、前記主電源の電圧が前記所定の電圧未満の場合にオンとなり、
前記ＭＯＳトランジスタは、前記電圧検出回路の出力により、前記主電源の電圧が前記所定の電圧以上であり、かつ前記電流方向検出手段により、電流の方向が前記第１バックアップ電源の充電方向の場合にはオンとなり、
前記電圧検出回路の出力により、前記主電源の電圧が前記所定の電圧未満であるか、または前記電流検出手段により、電流の方向が前記第１バックアップ電源の放電方向の場合にはオフすることを特徴とする電子回路のバックアップ電源回路。
【請求項５】
請求項４に記載の電子回路のバックアップ電源回路において、
前記電流方向検出手段は、前記バックアップ電源と、前記電子回路の電源端子間に挿入された抵抗素子と、前記抵抗素子の両端を入力とするコンパレータとを備え、
前記抵抗素子の両端子の内、前記電子回路の電源端子側の電位が前記バックアップ電源の電位より低い場合には、前記ＭＯＳトランジスタをオフすることを特徴とする電子回路のバックアップ電源回路。
【請求項６】
主電源により充電される第１バックアップ電源を第１電源端子に、１次電池を用いた第２バックアップ電源を第２電源端子にそれぞれ接続可能とし、いずれか一方のバックアップ電源を接続して用いる電子回路のバックアップ電源回路において、
前記主電源の電圧が所定の電圧以上であるか、または所定の電圧未満であるかを検出する電圧検出回路と、
前記第２バックアップ電源と前記電子回路の電源端子間に接続されたスイッチ手段と、
前記主電源と、前記電子回路の電源端子間に接続され、寄生ダイオードのアノードが前記主電源に接続され、カソードが前記電子回路の電源端子に接続されたＭＯＳトランジスタと、
前記ＭＯＳトランジスタの両端を入力とするコンパレータとを備え、
前記スイッチ手段は、前記電圧検出回路の出力により、前記主電源の電圧が前記所定の電圧未満の場合にオンとなり、
前記ＭＯＳトランジスタは、前記電圧検出回路の出力により、前記主電源の電圧が前記所定の電圧以上であり、かつ前記コンパレータにより、ＭＯＳトランジスタの両端の内、前記主電源の端子側の電位が前記電子回路の電源端子側の電位より高いと判定された場合にはオンとなり、
前記電圧検出回路の出力により、前記主電源の電圧が前記所定の電圧未満であるか、または前記コンパレータにより、ＭＯＳトランジスタの両端の内、前記主電源の端子側の電位が前記電子回路の電源端子側の電位より低いと判定された場合には、前記ＭＯＳトランジスタをオフすることを特徴とする電子回路のバックアップ電源回路。
【手続補正２】
【補正対象書類名】明細書
【補正対象項目名】００１７
【補正方法】変更
【補正の内容】
【００１７】
本発明による電子回路のバックアップ電源回路は、１）主電源により充電されるバックアップ電源と、前記主電源と、前記電子回路の電源端子間に接続された、寄生ダイオードのアノードが前記主電源に接続され、カソードが前記電子回路の電源端子に接続されたＭＯＳトランジスタと、前記バックアップ電源に流れる電流の向きを検出する電流方向検出手段を備え、前記電流方向検出手段によって、電流の方向が、前記バックアップ電源を充電する方向の場合には、前記ＭＯＳトランジスタをオンし、電流の方向が、前記バックアップ電源の放電方向の場合には、前記ＭＯＳトランジスタをオフするようにしたので、主電源の電圧が変動してもバックアップ電源から主電源側への逆流を防止できるようになった。
【手続補正３】
【補正対象書類名】明細書
【補正対象項目名】００１９
【補正方法】変更
【補正の内容】
【００１９】
また、３）電子回路のバックアップ電源回路において、主電源により充電されるバックアップ電源と、前記主電源と、前記電子回路の電源端子間に接続された、寄生ダイオードのアノードが前記主電源に接続され、カソードが前記電子回路の電源端子に接続されたＭＯＳトランジスタと、前記ＭＯＳトランジスタの両端を入力とするコンパレータを備え、該コンパレータの出力に応じて前記ＭＯＳトランジスタのオン／オフ制御を行い、前記ＭＯＳトランジスタの両端の内、前記主電源の端子側の電位が前記電子回路の電源端子側の電位より高い場合には、前記ＭＯＳトランジスタをオンし、前記主電源の端子側の電位が前記電子回路の電源端子側の電位より低い場合には、前記ＭＯＳトランジスタをオフするようにしたので、確実に逆流防止が可能になった。
【手続補正４】
【補正対象書類名】明細書
【補正対象項目名】００２０
【補正方法】変更
【補正の内容】
【００２０】
また、４）主電源により充電される第１バックアップ電源を第１電源端子に、１次電池を用いた第２バックアップ電源を第２電源端子にそれぞれ接続可能とし、どちらか一方のバックアップ電源を接続して用いる電子回路のバックアップ電源回路において、前記主電源の電圧が所定の電圧以上か未満かを検出する電圧検出回路と、前記第２バックアップ電源と前記電子回路の電源端子間に接続されたスイッチ手段と、前記主電源と、前記電子回路の電源端子間に接続され、寄生ダイオードのアノードが前記主電源に接続され、カソードが前記電子回路の電源端子に接続されたＭＯＳトランジスタと、前記第１バックアップ電源に流れる電流の向きを検出する電流方向検出手段を備え、前記スイッチ手段は、前記電圧検出回路の出力により、前記主電源の電圧が前記所定の電圧未満の場合にオンとなり、前記ＭＯＳトランジスタは、前記電圧検出回路の出力により、前記主電源の電圧が前記所定の電圧以上、かつ前記電流方向検出手段によって、電流の方向が、前記第１バックアップ電源の充電方向の場合はオンとなり、前記電圧検出回路の出力により、前記主電源の電圧が前記所定の電圧未満、または前記電流方向検出手段によって、電流の方向が、前記第１バックアップ電源の放電方向の場合はオフするようにしたので、バックアップ電源として、充電可能な電源と一次電池の両方が使用できるようになったので、選択範囲が広がり、設計の自由度が増した。
【手続補正５】
【補正対象書類名】明細書
【補正対象項目名】００２１
【補正方法】変更
【補正の内容】
【００２１】
また、５）前記電流方向検出手段は、前記バックアップ電源と、前記電子回路の電源端子間に介挿された抵抗素子と、前記抵抗素子の両端を入力とするコンパレータを備え、前記抵抗素子の両端子の内、前記電子回路の電源端子側の電位が前記バックアップ電源の電位より低い場合には、前記ＭＯＳトランジスタをオフするようにしたので、抵抗素子として従来から用いていた充放電電流制限抵抗が利用できるので、新たに追加する必要が無い。
さらに、６）主電源により充電される第１バックアップ電源を第１電源端子に、１次電池を用いた第２バックアップ電源を第２電源端子に接続可能とし、どちらか一方のバックアップ電源を接続して用いる電子回路のバックアップ電源回路において、
前記主電源の電圧が所定の電圧以上か未満かを検出する電圧検出回路と、前記第２バックアップ電源と前記電子回路の電源端子間に接続されたスイッチ手段と、前記主電源と、前記電子回路の電源端子間に接続され、寄生ダイオードのアノードが前記主電源に接続され、カソードが前記電子回路の電源端子に接続されたＭＯＳトランジスタと、前記ＭＯＳトランジスタの両端を入力とするコンパレータを備え、前記スイッチ手段は、前記電圧検出回路の出力により、前記主電源の電圧が前記所定の電圧未満の場合にオンとなり、前記ＭＯＳトランジスタは、前記電圧検出回路の出力により、前記主電源の電圧が前記所定の電圧以上で、かつ前記コンパレータにより、ＭＯＳトランジスタの両端の内、前記主電源の端子側の電位が前記電子回路の電源端子側の電位より高いと判定された場合はオンとなり、前記電圧検出回路の出力により、前記主電源の電圧が前記所定の電圧未満、または前記コンパレータにより、ＭＯＳトランジスタの両端の内、前記主電源の端子側の電位が前記電子回路の電源端子側の電位より低いと判定された場合は、前記ＭＯＳトランジスタをオフするようにしたので、確実に逆流防止が可能になった。